(57)【要約】【課題】マグネシウム空気電池から供給される電力と再生可能エネルギーを利用する発電装置から供給される電力とを統合して、単一電力として出力する発電装置を提供する。【解決手段】マグネシウム空気電池１から電力の供給を受けて第１モーターが供給する第１回転エネルギーと、再生可能エネルギーを用いた第２発電装置から電力の供給を受け、第２モーターが提供する第２回転エネルギーと、２軸の入力軸と１軸の出力軸とを有し、入力された第１回転エネルギー及び第２入力軸から入力された第２回転エネルギーを統合して出力軸から統合回転エネルギーを出力するギヤセットと、ギヤセットの出力軸から出力された統合回転エネルギーが入力されて発電する発電機と、を含むマグネシウム空気電池を使用したハイブリッド発電装置。【選択図】  図６
2019198196.tif 000002
【特許請求の範囲】
【請求項１】
マグネシウム金属で形成された負極、前記負極と対向して導電性物資で形成された正極、活性化物質を含む電解質水溶液、及び前記電解質水溶液を収容する電解液槽を含むマグネシウム単電池２の、２以上が直列に接続されたマグネシウム空気電池１から電力の供給を受けて第１モーターが供給する第１回転エネルギーと、
風力発電装置、太陽光発電装置、地熱発電装置、小型水力発電装置、及びバイオ発電装置の何れかを含む再生可能エネルギーを用いた第２発電装置から電力の供給を受け、第２モーターが提供する第２回転エネルギーと、
第１入力軸及び第２入力軸からなる２軸の入力軸と１軸の出力軸とを有し、前記第１入力軸から入力された前記第１回転エネルギー及び前記第２入力軸から入力された前記第２回転エネルギーを統合して出力軸から統合回転エネルギーを出力するギヤセットと、
前記ギヤセットの前記出力軸から出力された前記統合回転エネルギーが入力されて発電する発電機と、を含むことを特徴とするマグネシウム空気電池を使用したハイブリッド発電装置。
【請求項２】
前記第２発電装置が、外部から回転エネルギーの供給を受けて発電する装置である場合には、前記外部から受けた回転エネルギーが前記第２発電装置と前記第２モーターとを介さず、前記第２回転エネルギーとして前記ギヤセットに直接に入力されることを特徴とする請求項１に記載のマグネシウム空気電池を使用したハイブリッド発電装置。
【請求項３】
前記入力軸は、ワンウエイクラッチ機構を更に備えることを特徴とする請求項１または２に記載のマグネシウム空気電池を使用したハイブリッド発電装置。
【請求項４】
前記負極は、マグネシウム金属が負極ホルダーに連結されて形成され、前記電解液槽の上面を覆う蓋部に、前記負極を前記電解液槽に挿入するための電極挿入口が設けられ、交換可能に配備されていることを特徴とする請求項１乃至３のいずれか１項に記載のマグネシウム空気電池を使用したハイブリッド発電装置。
【請求項５】
前記電解液槽は、空気透過撥水層から成り、前記電解質水溶液を排出する排出口が更に設けられていることを特徴とする請求項１乃至３のいずれか１項に記載のマグネシウム空気電池を使用したハイブリッド発電装置。
【請求項６】
前記発電機で発電された電力を貯蔵する蓄電装置を更に含むことを特徴とする請求項１乃至５のいずれか１項１に記載のマグネシウム空気電池を使用したハイブリッド発電装置。
【請求項７】
また本発明は、インバーターを備えることを特徴とする請求項６に記載のマグネシウム空気電池を使用したハイブリッド発電装置。
【請求項８】
更に本発明は、入力装置及びセンサーを備える制御装置を更に備え、前記制御装置は、前記マグネシウム空気電池、前記第１発電装置、前記第２発電装置、前記第１モーター、前記第２モーター、前記発電機、前記蓄電装置、及び前記インバーターの中の何れか１以上を制御し、電力を自動的に安定して供給するよう制御することを特徴とする請求項７に記載のマグネシウム空気電池を使用したハイブリッド発電装置。
【発明の詳細な説明】
【技術分野】
【０００１】
本発明は、マグネシウム空気電池を使用した発電装置に係り、より詳しくは、マグネシウム空気電池と再生可能エネルギーとを組み合わせて双方の長所を生かした、マグネシウム空気電池を使用したハイブリッド発電装置に関する。
【背景技術】
【０００２】
火力発電、水力発電、及び原子力発電を柱とする大きな発電所を建設して発電し、送電網で全使用者に配電するという従来の電力供給体制は、火力発電には炭酸ガスの放出により地球温暖化を惹起するという問題があり、水力発電所はこれ以上建設するのは困難であり、原子力発電には原子炉が爆発すると甚大な被害を及ぼすという問題を抱えている。
【０００３】
これに対して、風力発電装置、太陽光発電装置、地熱発電装置、小型水力発電装置、バイオ発電装置、又は燃料電池を含む多様な再生可能エネルギーを利用する発電方法が進歩し、近年、実用化された。また、従来の電力供給方式に対して、再生可能エネルギーを利用して個人発電や、中小の区域の共同発電を行うという方式が増えつつある。
【０００４】
再生可能エネルギーを利用する発電のうち、風力発電装置は風という自然の力を利用し、太陽光発電装置は太陽光を利用するため、いずれも無料のエネルギーであって、環境に優しい上に、事故が起こりにくい発電方法であるという特徴を有するが、風又は太陽光という自然の力を利用するため、電気需要に応じた発電量の調整が難しいという問題がある。そのため、これらを単独で利用するためには発電できない期間に備える大型の蓄電設備が必要であり、初期設備費が高くなるという問題を有する。
【０００５】
近年、マグネシウムが、豊富な資源量，高エネルギー密度，安全性，利便性といった観点から、優れたエネルギー貯蔵材料として注目を集めている。特にマグネシウム空気電池は、金属マグネシウムから電気エネルギーを取り出す手段として研究開発が進んでいる。
【０００６】
マグネシウム空気電池は、負極であるマグネシウム極の近傍で下記（１）の酸化反応が生じ、空気極に於いては、下記（２）で示す還元反応が生じる。マグネシウム空気電池全体としては、下記（３）に示す反応が起こり、放電が行われる。  
（１）２Ｍｇ→２Ｍｇ２＋＋４ｅ−
（２）Ｏ２＋２Ｈ２Ｏ＋４ｅ−→４ＯＨ− 
（３）２Ｍｇ＋Ｏ２＋２Ｈ２Ｏ→２Ｍｇ（ＯＨ）２
【０００７】
。
マグネシウム空気電池は、エネルギー密度が高く、必要なときに直ぐに発電することができ、発電量が安定し、装置が小型で安価であり、課題であった大電力の供給も可能となった。またマグネシウム金属は固体であって、通常の状態では安定であり、貯蔵や運搬が容易であるという特徴も有する。しかし、一次電池であるために充電ができず、金属マグネシウムを消費すると発電が終了するために可動時間に制限があり、交換に手間がかかり、発電する電力の価格がやや高いという問題点がある。
【０００８】
マグネシウム空気電池と再生可能エネルギーを利用する発電装置との双方の長所を生かし上述の諸問題点を解決するための手段として、これらを併用することが考えられる。また、そのようなハイブリッド発電装置は、個人または小集落、過疎地、離島、及び仮設住宅等の独立電源、並びに非常用電源として有用であると考えられる。
【０００９】
しかし、マグネシウム空気電池から供給される電力と、再生可能エネルギーを利用する発電装置から供給する電力という、電圧も電流も異なる二つの電源を安価な装置を用いて統合して安定な単一電源とすることが望まれていたが、従来は困難であった。
【先行技術文献】
【特許文献】
【００１０】
【特許文献１】特開第２０１２−２３４７９９号公報
【特許文献２】特開第２０１８‐６３８４２号公報
【発明の概要】
【発明が解決しようとする課題】
【００１１】
本発明は、この問題を解決するためになされたものであって、マグネシウム空気電池から供給される電力と、風力発電装置、太陽光発電装置、地熱発電装置、小型水力発電装置、バイオ発電装置、又は燃料電池を含む第２の発電装置から供給される電力とを、安価な装置を用いて統合し、安価で安定な単一電力として出力するハイブリッド発電装置を提供することを課題とする。
【００１２】
また本発明は、マグネシウム空気電池の負極であるマグネシウム極と電解質水溶液とを交換可能に形成し、負極及び電解質水溶液を交換してマグネシウム空気電池を容易に再使用できるように配備することを課題とする。
更に本発明は必要とする電力を、自動的に長期間安定して供給することができるように配備することを課題とする。
【課題を解決するための手段】
【００１３】
かかる課題を解決するための本発明のマグネシウム空気電池を使用したハイブリッド発電装置は、マグネシウム金属で形成された負極、負極と対向して導電性物資で形成された正極、活性化物質を含む電解質水溶液、及び電解質水溶液を収容する電解液槽を含むマグネシウム単電池２の、２以上が直列に接続されたマグネシウム空気電池から電力の供給を受けて第１モーターが供給する第１回転エネルギーと、
風力発電装置、太陽光発電装置、地熱発電装置、小型水力発電装置、及びバイオ発電装置の何れかを含む再生可能エネルギーを用いた第２発電装置から電力の供給を受け、第２モーターが提供する第２回転エネルギーと、
第１入力軸及び第２入力軸からなる２軸の入力軸と１軸の出力軸とを有し、第１入力軸から入力された第１回転エネルギー及び第２入力軸から入力された第２回転エネルギーを統合して出力軸から統合回転エネルギーを出力するギヤセットと、
ギヤセットの出力軸から出力された統合回転エネルギーが入力されて発電する発電機と、を含むことを特徴とする。
【００１４】
前記第２発電装置が、第２発電装置が、外部から回転エネルギーの供給を受けて発電する装置である場合には、外部から受けた回転エネルギーが第２発電装置と第２モーターとを介さず、第２回転エネルギーとしてギヤセットに直接に入力されることができる。
前記入力軸は、ワンウエイクラッチ機構を更に備えることが好ましい。
【００１５】
前記負極は、マグネシウム金属が負極ホルダーに連結されて形成され、電解液槽の上面を覆う蓋部に、負極を電解液槽に挿入するための電極挿入口が設けられ、交換可能に配備されていることを特徴とする。
【００１６】
前記電解液槽は、空気透過撥水層から成り、電解質水溶液を排出する排出口が更に設けられていることが好ましい。
本発明は、発電機で発電された電力を貯蔵する蓄電装置を更に含むことができる。
また本発明は、インバーターを備えることができる。
【００１７】
更に本発明は、入力装置及びセンサーを備える制御装置を更に備え、制御装置は、マグネシウム空気電池、第１発電装置、第２発電装置、第１モーター、第２モーター、発電機、蓄電装置、及びインバーターの中の何れか１以上を制御し、電力を自動的に安定して供給するよう制御することを特徴とする。
【発明の効果】
【００１８】
本発明は、上述の課題を解決するためになされたものであって、マグネシウム空気電池から供給される電力と、風力発電装置、太陽光発電装置、地熱発電装置、小型水力発電装置、バイオ発電装置、及び燃料電池の何れかを含む再生可能エネルギーを利用する第２の発電装置から供給される電力と、を安価な装置を用いて統合して、安定な単一電力として出力する発電装置を提供することができる。
【００１９】
再生可能エネルギーを利用した発電は、環境に優しい上に、事故が起こりにくく、リスクの少ない発電方法であるという特徴を有するが、電気需要に応じた発電量の調整が難しいという問題があり、一方マグネシウム空気電池は電力を必要とするときにいつでも安定して発電することができるという特徴を有するが、作動時間に制限があり、電力の価格がやや高いという問題点がある。本発明によれば、マグネシウム空気電池から供給される電力と、再生可能エネルギーを用いた発電とを統合することによって、両方の発電の長所を合わせて欠点を補うことができる。
【００２０】
負極が着脱可能に設けられ、電解液槽には、電解質水溶液を排出する排水口が設けられたので、マグネシウムが消費された後に、負極と電解質水溶液を容易に交換することができる。
【００２１】
マグネシウム空気電池から供給される電力と、再生可能エネルギーを用いた発電とを統合することによって、再生可能エネルギーを用いる発電装置に必要な蓄電装置を小型化し、初期投資費用を削減することができた。これによって、蓄電装置を小型化し、初期投資費用を削減することができたので、本発明のマグネシウム空気電池を使用した発電装置は、個人または小集落、過疎地、離島、及び仮設住宅等の独立電源、並びに非常用電源として特に有用になる。
【図面の簡単な説明】
【００２２】
【図１】本発明のマグネシウム空気電池を使用したハイブリッド発電装置の全体構成を示すブロック図である。
【図２】本発明のマグネシウム単位電池の概略斜視図である。
【図３】図２のＡ−Ａ断面であって、本発明のマグネシウム単位電池の概略縦断面図である。
【図４】図２のＢ−Ｂ断面であって、本発明のマグネシウム単位電池の概略縦横面図である。
【図５】本発明のマグネシウム空気電池の燃料極ホルダーの概略斜視図である。
【図６】本発明の１実施形態のマグネシウム空気電池を用いたハイブリッド発電装置の模式構成図である。
【図７】本発明の他の実施形態のギヤセットの構成を示す模式断面図である。
【図８】本発明の更に他の実施形態のギヤセットの構成を示す模式断面図である。
【発明を実施するための形態】
【００２３】
以下に添付図面を参照して本発明を詳細に説明する。この記載は本発明を説明するためのものであって、本発明の技術範囲を限定するものではない。本発明は、本発明の技術的範囲から逸脱しない範囲内で、多様に変更して実施することが可能である。
【００２４】
（マグネシウム空気電池）
本発明のマグネシウム空気電池１は、直列に接続された複数個のマグネシウム単位電池２から構成される。
図２は、本発明のマグネシウム単位電池の概略斜視図であり、図３は、図２のＡ−Ａ断面であって、本発明のマグネシウム単位電池の概略縦断面図であり、図４は、図２のＢ−Ｂ断面であって、本発明のマグネシウム単位電池の概略縦横面図である。
図２〜４に示すように、本発明のマグネシウム単位電池２は、負極１２、負極１２と対向して形成された正極１４、−電極１３、＋電極１５、負極１２、及び正極１４を浸漬し活性化物質を含む電解質水溶液１６、及び前記電解質水溶液１６を収容する電解液槽１８を含むことができる。
【００２５】
本発明のマグネシウム単位電池２の負極１２は、マグネシウム金属又はマグネシウム合金で構成されることができる。また正極１４は、銅及び炭素を含む導電性物資から形成されることができる。
更に、電解質溶液１６は、公知であって、マグネシウム空気電池で使用可能な電解質水溶液であれば特に制限されないが、例えば食塩水又は海水を例示することができる。電解質溶液１６は、活性化物質を含むことができる。電解質溶液は、図示しない吸水性物質に含有させて用いることができる。
【００２６】
本発明のマグネシウム単位電池２の電解液槽１８には、電解質液を排出する排液口２２が設けられることが好ましい。また本発明の電解液槽１８の槽壁１９は、空気透過撥水層からなることができる。空気透過撥水層は、本発明の目的に適うものであれば特に限定されないが、例えば特許文献２に記載された空気透過撥水層を用いることができる。また、電解液槽１８の負極１２と正極１４との間には、図示しないセパレーターを配置することができる。
【００２７】
図５は、本発明の金属空気電池の燃料極ホルダーの概略斜視図である。
図５に示すように本発明の陰極１２は、金属マグネシウム２０が絶縁材で形成された陰極ホルダー２４に連結して構成され、マイナス電極１３が設けられることが好ましい。また、電解液槽１８の上面に設けられた蓋部２８にマグネシウム挿入口２６が設けられて、陰極１２が着脱自在に設けられることができる。更に、陰極１２は、図示しない陰極集電体を備えることができる。
【００２８】
マグネシウム空気電池１は、発電を開始してから短時間で最大発電量に到達し、金属マグネシウムが消費されるまで安定した電力を供給することができる。
マグネシウムの酸化還元電位は−２．３５６Ｖであるが、実際のマグネシウム単位電池の起電力は１．５〜１．６Ｖである。従って本発明の一実施例では、例えば３〜８個のマグネシウム単位電池を直列に接続して、マグネシウム空気電池１の起電力を４〜１２Ｖで、使用することができる。
また、マグネシウムの理論的な容量は２２９０ｍＡ／ｇであるが、マグネシウム空気電池は、内部抵抗、自己放電及び水素の発生によって、実効的容量は最大で理論的容量の９０％程度になる。
【００２９】
（第２の発電装置）
本発明の第２の発電装置は、再生可能エネルギーを用いることを特徴とする。現在実用化されているか、又は実用化が検討されている再生可能エネルギーとしては、風力発電、太陽光発電、地熱発電、小型水力発電、バイオ発電、波力発電等がある。本発明はいずれも含むことができるが、本明細書では実用化が進展している風力発電と太陽光発電とについて検討する。
【００３０】
風力発電は、風車から得られる回転力は大トルク低回転数で、風の変化に応じて出力が変化するという特性がある。近年、風力発電は、多様な風力発電に用いる風車が開発されている。例えば、小型の風車でも効率よく発電することができる風車が開発され、また一方、特に海外では大規模な風力発電設備が建設されている。風力発電の出力は概略的には、風速１０ｍにおいて、直径１．２ｍ程度の小型風車で２００Ｗ程度の電力が得られ、直径７ｍ程度の中型風車で１０ｋＷ程度の交流電力が得られるといわれている。
【００３１】
太陽電池発電は、設置が容易であるという特徴を有するが、晴れた昼間しか稼動させることができず、また、雲が出ると発電量が突然０になるなど変化が激しいという問題点がある。発電量は、パネルの種類によって異なるが、概略的に一辺が１ｍ２程度のソーラーパネルで１０Ｗ程度の直流電力が得られるといわれている。
【００３２】
（マグネシウム空気電池の電力と再生可能エネルギーを利用した発電電力との統合）
本発明者らは、安全で安価（無料）ではあるが電力を供給できる時間及び供給量が不安定である再生可能エネルギーを用いた発電装置から供給される電力と、安価な装置でエネルギー密度が高く安定な電力を直ぐに供給するが、発電経費が高いマグネシウム空気電池から供給される電力と、を統合して単一電源にし、双方の電源の長所を生かして欠点を補う発電装置を開発することを課題として研究を続けてきた。
【００３３】
このような電源は、再生可能エネルギーを用いた発電装置を用いた電源を使用する場合に必要とされる蓄電設備の大きさを減して設備投資を軽減し、再生可能エネルギーを用いた発電装置を移動・携帯可能にし、災害時等における非常用電源等の役割も期待されている。
【００３４】
しかしながら、２つの異なる電源を電気的な方法を用いて簡単で安価な装置を用いて統合するのは困難であった。そこで、再生可能エネルギーを用いた発電装置から供給される電力及びマグネシウム空気電池から供給される電力それぞれを、モーターを用いて回転エネルギーに変換し、それぞれの回転エネルギーを、ギヤセットを用いて統合した後に発電機７に入力して発電してこの目的を達成したのである。
【００３５】
（ギヤセット）
図６は、本発明の１実施形態のギヤセット３０を備えるマグネシウム空気電池を用いたハイブリッド発電装置の模式構成図である。
図６に示すように、本発明のマグネシウム空気電池を使用したハイブリッド発電装置１００は、複数個のマグネシウム単電池２を直列に接続してマグネシウム空気電池１を形成し、その電力を第１モーター４に供給して第１回転エネルギー（回転速度とトルクの関数）を生成し、再生可能エネルギーを用いた第２発電装置３から電力を第２モーター５に供給して第２回転エネルギーを生成し、第１回転エネルギー及び回転エネルギーをギヤセット３０に入力して統合回転エネルギーを生成し、これを発電機７に入力して発電することができる。
【００３６】
本発明は、第２発電装置３が、外部から得た回転動力を利用して発電機を回転させて発電する装置である場合は、第２回転動力は、第２発電装置と第２モーターとを介さず、第２回転エネルギー第２発電装置が外部から得た回転動力をそのままギヤセット７に入力することができる。外部から得た回転動力をそのまま入力する方がエネルギー効率は良い。しかし、市販の発電装置を購入し、発電した電力をモーターに供給して回転エネルギーを得てこれをギヤセット７に入力する構成の装置のほうが、製造が容易である。
発電機７は、本発明で供給する動力が利用可能であり、本発明の使用目的に会う電力を発電できるものであれば特に制限されない。
【００３７】
本発明は、更に蓄電装置８とインバーター９と、制御装置１０と、を更に備えることができる。蓄電装置は、発電した電気の電流と電圧を安定化させるために必要であるが、本発明の発電装置１は、マグネシウム空気電池１を備え、必要な場合にはいつでも安定した電力を供給できるので、予備電源としての蓄電池を小型化するか省略することも可能であり、初期投資を削減することができる。
【００３８】
本発明が目的とするような中小規模の発電装置は、安全性の問題もあって、発電の電圧は低いことが多いので、発電した電力を家庭用電力として使用する場合は、インバーター９を備えて常用電圧である１００Ｖに昇圧する必要がある。また、本発明は、入力手段や表示装置を備える制御装置と、図示しない複数のセンサーと、を備え、自動運転できるように配備することができる。
【００３９】
図６に示す本発明の１実施形態のギヤセット３０は、第１モーター４に連結され第１回転エネルギーを出力する第１入力歯車３１、及び第２モーター５に連結され第２回転エネルギーを出力する第２入力歯車３２が発電機７に連結される出力歯車３３と噛合し、第１回転エネルギー及び第２回転エネルギーを統合した統合エネルギーを出力歯車３３から発電装置７に出力することができる。
【００４０】
図６に示すギヤセット３０は、単純な構成であって、一定条件内の運転であれば効率が良いが、第１入力歯車３１と第２入力歯車３２との回転比が一定であるため、一方の発電装置の運転状況が一定条件の範囲を逸脱した場合は、装置全体の発電効率が低下する可能性がある。また、一方の回転軸の入力トルクの反力を他方の回転軸が受けるため、双方のトルクが大きく異なる場合には、他方の回転軸が逆回転させられる場合があるため、第１入力歯車３１の第１入力軸３４と第２入力歯車３２の第２入力軸３５には、入力方向のみが連結するワンウエイクラッチ機構３６を備えることが好ましい。
【００４１】
図７は、本発明の他の実施形態のギヤセットの構成を示す模式断面図である。
図７に示すように、本発明の他の実施形態のギヤセット４０は、第１モーター４と第１入力歯車３１との間にサンギヤＳ１、遊星キャリヤＣ１、及びリングギヤＲ１を有する第１遊星ギヤセット３７を備え、第２モーター５と第２入力歯車３２との間にサンギヤＳ２、遊星キャリヤＣ２、及びリングギヤＲ２を有する第２遊星ギヤセット３８を備える点で図６と相違する。図７に示すギヤセット４０は、第１回転エネルギー及び第２回転エネルギーを統合した統合エネルギーを出力歯車３３から発電装置７に出力することができる。
【００４２】
図７には、第１遊星ギヤセットのサンギヤＳ１に第１モーター４を連結し、遊星キャリヤＣ１に第１入力軸３４を連結し、第１リングギヤＲ１は固定し、第２遊星ギヤセットの遊星キャリヤＣ２を固定し、サンギヤＳ２と第２入力軸３５とを連結し、第２リングギヤＲ２に第２モーター５を連結した例を示した。この例では、第１モーターの回転エネルギーは回転数が減少されて第１入力歯車に入力され、第２モーターの回転エネルギーは回転が加速されて第２入力歯車に入力される。
なお、遊星ギヤセットのどのギヤをどのように連結するかは、任意であって、本発明は図７に図示した例に制限されるものではない。また、第１モーター４は、安定した回転エネルギーを提供するので、第１遊星ギヤセット３７を省略することが可能であることもある。更に、遊星ギヤの代わりに任意の変速ギヤを用いることも可能である。
【００４３】
図８は、本発明の更に他の実施形態のギヤセットの構成を示す模式断面図である。
図８に示すように、本発明の更に他の実施形態のギヤセット５０は、サンギヤ５１、遊星キャリヤ５２、及びリングギヤ５３、サンギヤ入力軸５４、及び遊星キャリヤ出力軸５５を備え、更にリングギヤ入力軸５６が回転エネルギー入力可能に形成されたことを特徴とする。サンギヤ入力軸５４に第１モーター４又は第２モーター５の何れか一方を連結し、リングギヤ入力軸５６に第１モーター４又は第２モーター５の何れか他方を連結し、遊星キャリヤ出力軸５５を発電機７に連結することができる。
【００４４】
図８に示すギヤセット５０は、第１モーター４及び第２モーター５の回転速度及びトルクが異なる場合でも、第１モーター４の提供する第１回転エネルギー及び第２モーター５の提供する第２回転エネルギーを統合した統合回転エネルギーを、遊星キャリヤ出力軸５５から出力することができる。
【００４５】
図８にはリングギヤ入力軸５６をサンギヤ入力軸５４に外装する２重軸に形成し、歯車５７、５８を介して回転エネルギーをリングギヤ５３に入力する例を示したが、回転エネルギーをリングギヤ５３に入力する方法はこれに限定されず、例えばリングギヤ５３の外周に歯車機構、又は摩擦抵抗を用いて動力を伝達することもできる。
また図８には、サンギヤ入力軸５４に歯車５７、５８を介して第１モーター４に連結し、サンギヤ入力軸５４に第２モーターを連結する例を記載したが、第１モーター４、第２モーター５をいずれの軸に連結するかは任意である。
【００４６】
以上、本発明に関する好ましい実施形態を説明したが、本発明は前記実施形態に限定されず、本発明の属する技術範囲を逸脱しない範囲での全ての変更が含まれる。
【符号の説明】
【００４７】
１    マグネシウム空気電池
２    マグネシウム単位電池
３    第２発電装置
４    第１モーター
５    第２モーター
６、３０、４０、５０      ギヤセット
７    発電機
８    蓄電装置
９    インバーター
１０    制御装置
１２    負極
１３    −電極
１４    正極
１５    ＋電極
１６    電解質溶液
１７    電解質液面
１８    電解液槽
１９    槽壁
２０    金属マグネシウム
２２    排水口
２４    陰極ホルダー
２６    マグネシウム挿入口
２８    蓋部
３１    第１入力歯車
３２    第２入力歯車
３３    出力歯車
３４    第１入力軸
３５    第２入力軸
３６    ワンウエイクラッチ機構
３７    第１遊星ギヤセット
３８    第２遊星ギヤセット
３９    出力軸
５１    サンギヤ
５２    遊星キャリヤ
５３    リングギヤ
５４    サンギヤ入力軸
５５    遊星キャリヤ出力軸
５６    リングギヤ入力軸
５７、５８    歯車
１００    ハイブリッド発電装置
【図１】
2019198196.tif 000003
【図２】
2019198196.tif 000004
【図３】
2019198196.tif 000005
【図４】
2019198196.tif 000006
【図５】
2019198196.tif 000007
【図６】
2019198196.tif 000008
【図７】
2019198196.tif 000009
【図８】
2019198196.tif 000010